【手続補正書】
【提出日】平成24年10月15日(2012.10.15)
【手続補正１】
【補正対象書類名】特許請求の範囲
【補正対象項目名】全文
【補正方法】変更
【補正の内容】
【特許請求の範囲】
【請求項１】
呼吸に適した気体を患者に送達する患者インターフェース用のクッションであって、
フレームに連結される構造を有する土台壁と、
使用中に患者の顔面の方に前記土台壁から離れて延在している基礎クッションと、
前記基礎クッションの少なくとも一部分をほぼ覆うように設けられた膜において前記患者の顔面上に連続的な密封を形成するように適合された前記膜と、を備え、
前記基礎クッションが、前記土台壁とのばね状の連結部を有し、前記基礎クッションおよび／または土台壁が、前記密封の長さに沿って変化するばね定数を画定していることを特徴とするクッション。
【請求項２】
前記基礎クッションおよび／または土台壁の少なくとも一部分が、前記フレームからかかった力に対する前記クッションの移動量を画定するばね構造を含んでいる下側部分を有していることを特徴とする請求項１に記載のクッション。
【請求項３】
前記ばね定数が、前記基礎クッションおよび／または土台壁の様々な断面構造に応じて変化することを特徴とする請求項１または２に記載のクッション。
【請求項４】
前記基礎クッションおよび／または土台壁のばね特性が、基礎クッションの高さ、基礎クッションの厚み、基礎クッションの半径、および／または基礎クッションのオフセットによって少なくとも部分的に決定されることを特徴とする請求項３に記載のクッション。
【請求項５】
前記基礎クッションおよび／または土台壁のばね特性が、基礎クッションのオフセットによって少なくとも部分的に決定されることを特徴とする請求項３に記載のクッション。
【請求項６】
前記膜が４つの異なる領域を含み、前記ばね定数が前記４つの異なる領域のうちの少なくとも３つの領域で変化していることを特徴とする請求項１〜５のいずれか一項に記載のクッション。
【請求項７】
前記クッションが、鼻クッションであることを特徴とする請求項１〜６のいずれか一項に記載のクッション。
【請求項８】
前記膜が、前記患者の顔面の鼻梁、鼻の側部及び上唇の各領域上にそれぞれ連続的な密封を形成するように適合された鼻梁、鼻の側部及び上唇の各領域を含んでいることを特徴とする請求項７に記載のクッション。
【請求項９】
前記クッションが、フルフェースクッションであることを特徴とする請求項１〜６のいずれか一項に記載のクッション。
【請求項１０】
前記膜が、前記患者の顔面の鼻梁、鼻の側部、上側頬、下側頬及び顎の各領域上にそれぞれ連続的な密封を形成するように適合された鼻梁、鼻の側部、上側頬、下側頬及び顎の各領域を含んでいることを特徴とする請求項９に記載のクッション。
【請求項１１】
前記基礎クッションの下側部分が、前記下側部分の下および前記土台壁に隣接して屈曲用の空間を画定する略弓状構造を有していることを特徴とする請求項１〜１０のいずれか一項に記載のクッション。
【請求項１２】
前記空間が、約４．０ｍｍより浅い、好ましくは約３ｍｍの奥行きを有していることを特徴とする請求項１１に記載のクッション。
【請求項１３】
前記膜および前記基礎クッションの１つが前記クッションの外側の幅を画定する外部表面を含み、前記土台壁が前記外部表面に対して内側にオフセットしていることを特徴とする請求項１〜１２のいずれか一項に記載のクッション。
【請求項１４】
前記土台壁の内部へのオフセットの奥行きが、前記クッションの様々な領域で異なり、前記奥行きが、少なくとも部分的にばね状特性を決定していることを特徴とする請求項１３に記載のクッション。
【請求項１５】
前記基礎クッションが、前記外部表面を備えていることを特徴とする請求項１３または１４に記載のクッション。
【請求項１６】
前記基礎クッションおよび／または土台壁が、疑問符形または鎌形の形状を有している
ことを特徴とする請求項１〜１５のいずれか一項に記載のクッション。
【請求項１７】
呼吸に適した気体を患者に送達する患者インターフェース用のクッションであって、
前記クッションは鼻梁、頬、および顎領域を含み、前記クッションは、
前記患者の顔面の鼻梁、頬、顎の各領域上に連続的な密封を形成する連続的な密封構造を形成する、鼻梁、頬、顎の各領域を含む膜であって、三角形形状の開口を画定する内側縁部を有する膜と、
前記膜を支持する支持構造と、
を含み、前記支持構造は、
連結溝と、
前記連結溝に連結され、前記膜を支持する前記開口の内部に向けて延在する基礎クッションであって、鼻梁領域および頬領域を含む基礎クッションと、
を含み、
前記膜が、前記基礎クッションから延在し、前記基礎クッションの少なくとも一部を覆い、
前記基礎クッションが、前記クッションの前記頬領域内の前記開口の周囲に隣接して延在し、これにより、前記クッションが、前記頬領域において二重壁構造を有し、前記クッションが、前記顎領域の少なくとも一部において一つの壁構造を有しており、
前記基礎クッションが、前記クッションの外側表面の一部を越えて横方向に延在する基礎部分を含み、これにより、前記クッションの外側に空間が前記支持構造に隣接して形成され、
前記基礎クッションが、前記クッションが着用され、フレームによる力が前記クッションにかけられた際に移動可能であり、前記基礎クッションが、前記フレームによる力がかけられた際に、最初の位置から前記空間に向けて移動可能であり、前記フレームによる付加が前記クッションにかからなくなると弾性的に最初の位置に戻されることを特徴とするクッション。
【請求項１８】
前記支持構造は壁をさらに備え、前記壁が前記連結溝と前記基礎クッションとの間に位置することを特徴とする請求項１７に記載のクッション。
【請求項１９】
前記膜または前記基礎クッションが、前記クッションの最広幅点を形成する外側表面を含むことを特徴とする請求項１７または１８に記載のクッション。
【請求項２０】
前記クッションは、前記フレームによる力がかけられるとバネ力を加え、これにより、前記基礎クッションが、前記フレームによる力が前記クッションにかからなくなると、その最初の位置に弾性的に戻されることを特徴とする請求項１７〜１９のいずれか一項に記載のクッション。
【請求項２１】
前記基礎クッションおよび／または壁の一部が、前記フレームによる力に対する前記クッションの移動を少なくとも部分的に決めるバネ構造を含む、より低い部分を有することを特徴とする請求項１８〜２０のいずれか一項に記載のクッション。
【請求項２２】
前記壁および／または前記基礎クッションが、前記クッションの第１の部分におけるばね定数をもたらたすために前記クッションの周囲に沿って変化し、前記前記クッションの第１の部分におけるばね定数は、前記クッションの第２の部分におけるバネ定数と異なることを特徴とする請求項１８〜２１のいずれか一項に記載のクッション。
【請求項２３】
前記クッションの前記鼻梁領域における断面構造が、前記クッションの前記頬領域における断面構造と異なることを特徴とする請求項２２に記載のクッション。
【請求項２４】
前記頬領域の下側顔面野における断面構造が、前記頬領域の上側顔面野における断面構造と異なることを特徴とする請求項２２または２３に記載のクッション。
【請求項２５】
前記鼻梁領域および頬領域における断面構造が、基礎クッションのオフセットを変化することによって変化することを特徴とする請求項２３または２４に記載のクッション。
【請求項２６】
前記鼻梁領域における膜が、前記頬領域における膜の高さより高いことを特徴とする請求項１７〜２５のいずれか一項に記載のクッション。